【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
コントローラにおいて、下記を具備する、グループ通信ネットワークにおいて待ち時間を低減する方法：
目標通信装置のグループに向けられたグループ呼び出しを開始するためにソース通信装置からの発言権制御要求を受信する、前記発言権制御要求は、前記無線ネットワークの逆方向共通チャネルにより送信される；
前記目標通信装置のグループにウエークアップメッセージを送信する；
および
前記目標通信装置のグループの各々をトリガーして、トラヒックチャネルを再確立する。
【請求項２】
前記トリガーは、前記送信と並列である、請求項１の方法。
【請求項３】
前記トラヒックチャネルが再確立された後に送信するために前記ソース通信装置から受信した媒体をバッファリングする、請求項１の方法。
【請求項４】
さらに、下記を具備する請求項１の方法：
前記目標通信装置のグループの各々をトリガーし、無線リンクプロトコルを再ネゴシエートする、請求項１の方法。
【請求項５】
前記トリガーは、前記送信と並列である、請求項４の方法。
【請求項６】
請求項１の方法、前記無線ネットワークの順方向共通チャネル上に、前記発言権制御要求に対する応答を送信することをさらに含む、請求項１の方法。
【請求項７】
前記送信は、前記無線ネットワークの順方向ページングチャネル（Ｆ−ＰＣＨ）上に、前記応答を送信することを含む、請求項６の方法。
【請求項８】
前記送信は、前記無線ネットワークの順方向共通通信制御チャネル（Ｆ−ＣＣＣＨ）上に前記応答を送信することを含む、請求項６の方法。
【請求項９】
前記送信は、ショートデータバースト(ＳＤＢ）フォームで前記応答を送信することを含む、請求項６の方法。
【請求項１０】
コントローラーにおいて、グループ通信ネットワークにおいて、待ち時間を低減するための方法を具現化するコンピュータ読み出し可能な媒体において、前記方法は、下記を具備する：
目標通信装置のグループに向けられたグループ呼び出しを開始するためのソース通信装置からの発言権制御要求を受信する、前記発言権制御要求は、前記無線ネットワークの逆方向通信チャネル上の前記ソース通信装置により送られる；
ウエークアップメッセージを前記目標通信装置のグループに送信する；
および
前記目標通信装置のグループの各々をトリガーしてトラヒックチャネルを再確立する。
【請求項１１】
前記トリガーは前記送信と並列である、請求項１０のコンピュータ読み出し可能媒体。
【請求項１２】
前記方法は、前記トラヒックチャネルが再確立された後で送信のために、前記ソース通信装置から受信した媒体をバッファリングすることをさらに含む、請求項１０のコンピュータ読み出し可能媒体。
【請求項１３】
前記方法は、前記目標通信装置のグループの各々をトリガーして無線リンクプロトコルを再ネゴシエートすることをさらに含む、請求項１０のコンピュータ読み出し可能媒体。
【請求項１４】
前記トリガーは、前記送信と並列である、請求項１０のコンピュータ読み出し可能媒体。
【請求項１５】
前記方法は、前記無線ネットワークの順方向共通チャネル上に前記発言権制御要求に対する応答を送信することをさらに含む、請求項１０のコンピュータ読み出し可能媒体。
【請求項１６】
前記送信は、前記無線ネットワークの順方向ページングチャネル)Ｆ−ＰＣＨ）上に前記応答を送信することを含む、請求項１５の方法。
【請求項１７】
前記送信は、前記無線ネットワークの順方向共通制御チャネル（Ｆ−ＣＣＣＨ）上に前記応答を送信することを含む、請求項１５のコンピュータ読み出し可能媒体。
【請求項１８】
前記送信は、ショートデータバースト（ＳＤＢ）フォームで前記応答を送信することを含む、請求項１５のコンピュータ読み出し可能媒体。
【請求項１９】
下記を具備する、グループ通信ネットワークにおいて、待ち時間を低減するためのコントローラ：
目標通信装置のグループに向けられたグループ読み出しを開始するためのソース通信装置からの発言権制御要求を受信する手段、前記発言権要求は、前記無線ネットワークの逆方向共通チャネル上の前記ソース通信装置により送信される；
ウエークアップメッセージを前記目標通信装置のグループに送信する手段；
および
前記目標通信装置のグループの各々をトリガーして、トラヒックチャネルを再確立する手段。
【請求項２０】
前記トリガーは、前記送信と並列である、請求項１９のコントローラ。
【請求項２１】
前記トラヒックチャネルが再確立された後で送信のために前記ソース通信装置から受信した媒体をバッファリングする手段をさらに具備する、請求項１９のコントローラ。
【請求項２２】
前記目標通信装置のグループの各々をトリガーして、無線リンクプロトコルを再ネゴシエートする手段をさらに具備する、請求項１９のコントローラ。
【請求項２３】
前記トリガーは、前記送信と並列である、請求項２２のコントローラ。
【請求項２４】
前記無線ネットワークの順方向共通チャネル上に前記発言権制御要求を送信する手段をさらに具備する、請求項１９のコントローラ。
【請求項２５】
前記送信する手段は、前記無線ネットワークの順方向ページングチャネル（Ｆ−ＰＣＨ）上に前記応答を送信する手段を含む、請求項２４のコントローラ。
【請求項２６】
前記送信する手段は、前記無線ネットワークの順方向共通制御チャネル（Ｆ−ＣＣＣＨ）上に前記応答を送信する手段を含む、請求項２４のコントローラ。
【請求項２７】
前記送信する手段は、前記応答をショートデータバースト(ＳＤＢ）フォームで送信する手段を含む、請求項２４のコントローラ。
【請求項２８】
グループ通信ネットワークにおいて、待ち時間を低減するためのコントローラにおいて、前記通信装置は下記を具備する：
ネットワーク上の情報を受信するための受信器；
情報を前記ネットワーク上に送信する送信器；
および
前記受信器と送信器に通信可能に接続され、下記を行うことができるプロセッサ：
目標通信装置のグループに向けられたグループ呼び出しを開始するためのソース通信装置から発言権制御要求を受信する、前記発言権制御要求は、前記無線ネットワークの逆方向共通チャネル上の前記ソース通信装置により送信される；
ウエークアップメッセージを前記目標通信装置のグループに送信する；
および
前記目標通信装置の各々をトリガーしてトラフィックチャネルを再確立する。
【請求項２９】
前記トリガーは、前記送信と並列である、請求項２８のコントローラ。
【請求項３０】
前記プロセッサはさらに、前記トラヒックチャネルが再確立された後で送信のために前記ソース通信装置から受信した媒体をバッファリングすることができる、請求項２８のコントローラ。
【請求項３１】
前記プロセッサは、さらに、前記目標通信装置のグループの各々をトリガーして無線リンクプロトコルを再ネゴシエートすることができる、請求項２８のコントローラ。
【請求項３２】
前記トリガーは、前記送信と並列である、請求項３１のコントローラ。
【請求項３３】
前記プロセッサは、さらに、前記無線ネットワークの順方向共通チャネル上に、前記発言権制御要求に対する応答を送信することができる、請求項２８のコントローラ。
【請求項３４】
前記送信は、前記応答を前記無線ネットワークの順方向ページングチャネル（Ｆ−ＰＣＨ）上に前記応答を送信することを含む、請求項３３のコントローラ。
【請求項３５】
前記送信は、前記無線ネットワークの順方向共通制御チャネル（Ｆ−ＣＣＣＨ）上に前記応答を送信することを含む、請求項３３のコントローラ。
【請求項３６】
前記送信は、前記応答をショートデータバースト(ＳＤＢ）フォームで送信することを含む、請求項３３のコントローラ。